(57)【要約】【課題】物体の着脱時のストロークが短くて着脱方向の自由度が高く、且つ着脱における操作性の高いホルダーを提供すること。【解決手段】壁面に取り付けられる台座８と、壁面に対し略垂直方向に突出するとともに壁面に懸架する物体３に設けられた第１の凹部４に嵌合又は掛着する突起部２と、物体３の底部及び下部両側部を嵌装する下部架台６と、物体３の下部両側部に面して下部架台６に凸設された凸部５を有することにより、ホルダーの下部架台が物体の底部及び下部両側部を嵌装しある程度位置決めすることで、物体が左右方向に歪まない状態で懸架できかつ突起部を凹部と嵌合させ易く、上下方向に遊びがあるので、物体と凸部との嵌合には高い位置精度の加工は不要であることとなり、物体の着脱時のストロークは短くて着脱方向の自由度が高いままで、着脱における操作性の高いホルダーを提供することができる。【選択図】図１
2007244454.tif 000002
【特許請求の範囲】
【請求項１】
壁面に取り付けられる台座と、前記壁面に対し略垂直方向に突出するとともに前記壁面に懸架する物体に設けられた第１の凹部に嵌合又は掛着する突起部と、前記物体の底部及び下部両側部を嵌装する下部架台と、前記物体の下部両側部に面して前記下部架台に凸設された凸部を有することを特徴とするホルダー。
【請求項２】
凸部は、壁面に懸架する物体に設けられた第２の凹部に遊嵌することを特徴とする請求項１に記載のホルダー。
【請求項３】
物体に設けられた第２の凹部及び前記第２の凹部に遊嵌する凸部は、水平方向あるいは鉛直方向のいずれか一方の長さが他方より長手であることを特徴とする請求項１または２に記載のホルダー。
【請求項４】
凸部は、物体に設けられた第２の凹部より対応する長手方向の長さが短いことを特徴とする請求項１〜３のいずれか１項に記載のホルダー。
【請求項５】
凸部は、物体に設けられた第２の凹部より全周方向で対応する方向の長さが短いことを特徴とする請求項１〜４のいずれか１項に記載のホルダー。
【発明の詳細な説明】
【技術分野】
【０００１】
本発明は、物体を壁面に懸架するホルダーに関するものである。
【背景技術】
【０００２】
従来、この種のホルダーは、壁面に取り付けられる台座と、壁面に対し略垂直方向に突出するとともに壁面に懸架する物体に設けられた凹部に嵌合又は掛着する突起部を備えている。
【０００３】
また、台座の下端に物体の一部を係止する係止部を備えているものもある（例えば、特許文献１参照）。
【０００４】
図６（ａ）は、特許文献１に記載された従来の物体を壁面に懸架するホルダーの側断面図、（ｂ）は一部透視正面図、（ｃ）は一部透視斜視図を示すものである。図６に示すように、ホルダー１は、壁面に取り付けられる台座８と、壁面に対し略垂直方向に突出する突起部２と、台座８の下端に備えた下部架台５と、下部架台５に設けた係止部９から構成されており、下部架台５に設けた係止部９で物体３の一部を係止し、かつ突起部２を物体３に設けられた凹部４と嵌合させることで、物体３を壁面（図示せず）に懸架している。
【特許文献１】特開２００５−２２４２７４号公報
【発明の開示】
【発明が解決しようとする課題】
【０００５】
しかしながら、前記従来の構成では、物体３に設けられた凹部４が使用者から見て背面にあり、突起部２と凹部４の位置関係が判り辛く、突起部２を凹部４と嵌合させ難いので、着脱における操作性が高くないという課題を有していた。
【０００６】
特に、美観向上等のため、ホルダー１の横幅等を物体３より小さくするなど、物体３の懸架時にホルダー１が正面視で見えない構成とすると、着脱における操作性はより低くなる傾向にある。
【０００７】
また、下部架台５に設けた係止部９は、物体３を底面から支えつつ係止する構成であるため、上下方向に遊びがなく、物体３に設けられた凹部４と突起部２とを嵌合させるには高い位置精度の加工が要求され、手間やコストがかかるという課題も有していた。
【０００８】
更に、下部架台５に設けた係止部９は、物体３の一部を係止する構成であるため、物体３が左右方向に歪んだ状態で懸架しようとすると、凹部４と突起部２とが嵌合し難く、操作性はより低くなる傾向にあるという課題も有していた。
【０００９】
図７、図８は、従来のホルダーの物体を壁面に懸架する際の側断面図及び一部透視正面図で、前述の操作性低下の原因となりうる状態を図示するものである。
【００１０】
本発明は、前記従来の課題を解決するもので、物体の着脱時のストロークが短くて着脱方向の自由度が高く、且つ着脱における操作性の高いホルダーを提供することを目的とする。
【課題を解決するための手段】
【００１１】
前記従来の課題を解決するために、本発明のホルダーは、壁面に取り付けられる台座と、前記壁面に対し略垂直方向に突出するとともに前記壁面に懸架する物体に設けられた第
１の凹部に嵌合又は掛着する突起部と、前記物体の底部及び下部両側部を嵌装する下部架台と、前記物体の下部両側部に面して前記下部架台に凸設された凸部を有する構成としたものである。
【００１２】
これによって、ホルダーの下部架台が物体の底部及び下部両側部を嵌装し、ある程度位置決めすることで、物体に設けられた凹部が使用者から見て背面にあっても、突起部と凹部の位置関係が推測でき、突起部を凹部と嵌合させ易く着脱における操作性が高くなる。
【００１３】
また、下部架台に凸設された凸部は物体の下部両側部に面する構成であるため、上下方向に遊びがあり、物体と凸部との嵌合には高い位置精度の加工は不要で、コストダウンできる。
【００１４】
また、ホルダーの下部架台は物体の底部及び下部両側部を嵌装する構成であり、物体が左右方向に歪まない状態で懸架できる。
【００１５】
これによって、物体の着脱時のストロークは短くて着脱方向の自由度が高いままで、着脱における操作性の高いホルダーを提供することができる。
【発明の効果】
【００１６】
本発明のホルダーは、物体の着脱時のストロークは短くて着脱方向の自由度が高く、着脱における操作性の高いホルダーを安価に提供することができ、誰にでも使い易いユニバーサルデザインを実現できる。
【発明を実施するための最良の形態】
【００１７】
第１の発明は壁面に取り付けられる台座と、前記壁面に対し略垂直方向に突出するとともに前記壁面に懸架する物体に設けられた第１の凹部に嵌合又は掛着する突起部と、前記物体の底部及び下部両側部を嵌装する下部架台と、前記物体の下部両側部に面して前記下部架台に凸設された凸部を有する構成とすることにより、ホルダーの下部架台が物体の底部及び下部両側部を嵌装しある程度位置決めすることで、物体が左右方向に歪まない状態で懸架できかつ突起部を凹部と嵌合させ易く、上下方向に遊びがあるので、物体と凸部との嵌合には高い位置精度の加工は不要であることとなり、物体の着脱時のストロークは短くて着脱方向の自由度が高いままで、着脱における操作性の高いホルダーを提供することができる。
【００１８】
第２の発明は、特に、第１の発明の凸部を、壁面に懸架する物体に設けられた第２の凹部に遊嵌することにより、物体をホルダーにより正確に位置決めし易くなり、着脱における操作性がより高いホルダーを提供することができる。
【００１９】
第３の発明は、特に、第１または第２の発明の物体に設けられた第２の凹部及び前記第２の凹部に遊嵌する凸部は、水平方向あるいは鉛直方向のいずれか一方の長さが他方より長手であることにより、物体と凸部との接触面積が広くなることでホルダーの保持力が向上でき、着脱における操作性の高いホルダーを安価に提供することができる。
【００２０】
第４の発明は、特に、第１〜３のいずれか１つの発明の凸部を、物体に設けられた第２の凹部より対応する長手方向の長さが短い構成とすることにより、当該方向に遊びが設けられ、高い位置精度の加工が不要で物体と凸部との嵌合ができ、また、取り付け時の誘い込みが広くなり取り付け性を向上させることができる。
【００２１】
第５の発明は、特に、第１〜４のいずれか１つの発明の凸部を、物体に設けられた第２の凹部より全周方向で対応する方向の長さが短い構成とすることにより、全周方向に遊び
が設けられ、高い位置精度の加工が不要で物体と凸部との嵌合ができ、また、物体と凸部との接触面積が広くなることでホルダーの保持力が向上でき、着脱における操作性の高いホルダーを安価に提供することができると共に、取り付け時の誘い込みが広くなり取り付け性を向上させることができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における物体を壁面に懸架するホルダーと壁面に懸架する物体の斜視図、図２は、本発明の第１の実施の形態における（ａ）は、物体を壁面に懸架するホルダーの側断面図、（ｂ）は、ホルダーの物体を壁面に懸架する際の側断面図、（ｃ）は、一部透視正面図を示すものである。
【００２４】
図１、図２において、物体３を壁面（図示せず）に懸架するホルダー１は、壁面に取り付けられる台座８と、壁面に対し略垂直方向に突出する突起部２と、下部架台６と、下部架台６に凸設された凸部５を有している。
【００２５】
下部架台６は、物体３の底部及び下部両側部を支持する板部によって物体の底部及び下部両側部を嵌装すると共に、物体３の下部両側部に設けられた第２の凹部７に凸部５を遊嵌して、物体３下部を位置決めし、物体３に設けられた第１の凹部４に突起部２を掛着させることで、物体３を壁面に懸架するものである。
【００２６】
本実施の形態では、下部架台６に凸設された凸部５は点状の形態であり、物体３の下部両側部に設けられた第２の凹部７は略直方形状に比して、全周方向で対応する方向の長さが短い形態となっている。
【００２７】
以上のように構成されたホルダーについて、以下その動作、作用を説明する。
【００２８】
まず、ホルダー１の下部架台６が物体３の底部及び下部両側部を嵌装し、ある程度位置決めすることで、物体３に設けられた第１の凹部４が使用者から見て背面にあっても、突起部２と第１の凹部４の位置関係が容易に推測でき、突起部２を第１の凹部４と掛着させ易く着脱における操作性が高くなる。
【００２９】
また、下部架台６に凸設された凸部５は物体３の下部両側部に面する構成で、上下方向に遊びがあり、物体３と凸部５との嵌合には高い位置精度の加工は不要で、コストダウンできる。
【００３０】
更に物体３の下部両側部に設けられた第２の凹部７は略直方形状であるのに比して、下部架台６に凸設された凸部５は点状の形態であり、全周方向で対応する方向の長さが短いので、より精度の要求は低く、嵌合が容易となる。
【００３１】
図２（ｂ）に示すように、突起部２と第１の凹部４の嵌合した位置を基準として、下部架台６に凸設された凸部５と物体３の下部両側部に設けられた第２の凹部７の位置関係が多少ずれていても遊びがあるので、位置精度が低くても、嵌合が容易である。
【００３２】
また、ホルダー１の下部架台６は物体３の底部及び下部両側部を嵌装する構成であり、取り付け時に物体３は左右方向に歪み難い状態で懸架できるので、突起部２を第１の凹部４と嵌合させ易い。
【００３３】
図２（ｃ）に示すように、物体３をホルダー１の下部架台６に嵌装したとき、物体３の底部及び下部両側部を支えているので、左右方向の歪みが生じ難く、突起部２を第１の凹部に嵌合させ易い。
【００３４】
また、ホルダー１に物体３を取り付ける時は、物体３を前方より移動させるだけで良く、物体３のホルダー１との着脱操作の方向に自由度を持たせることができ、しかも着脱ストロークも短くなり、着脱操作が極めて容易であるのは従来と同様である。
【００３５】
以上のように、本実施の形態においては壁面に取り付けられる台座と、前記壁面に対し略垂直方向に突出するとともに前記壁面に懸架する物体に設けられた第１の凹部に嵌合又は掛着する突起部と、前記物体の底部及び下部両側部を嵌装する下部架台と、前記物体の下部両側部に設けられた第２の凹部に嵌合する前記下部架台に凸設された凸部を有し、凸部は、物体に設けられた第２の凹部より全周方向で対応する方向の長さが短い構成とすることにより、物体の着脱時のストロークは短くて着脱方向の自由度が高いままで、精度を要求せずに嵌合し易く、着脱における操作性の高いホルダーを安価で提供することができる。
【００３６】
また、本実施の形態の凸部を、物体と接する側の辺を短辺とする略台形柱の形状とすることにより、物体と凸部との接触面積が広くなることでホルダーの保持力が向上でき、着脱における操作性の高いホルダーを安価に提供することができると共に、取り付け時の誘い込みが広くなり取り付け性を向上させることができる。
【００３７】
図３は、本発明の第１の実施の形態におけるホルダーと壁面に懸架する物体の一部拡大斜視図で、凸部５は、物体３と接する側の辺を短辺とする略台形柱の形状である。
【００３８】
更に、図４の本発明の第１の実施の形態におけるホルダーの一部拡大斜視図に示すように本実施の形態の凸部を、物体と接する側を頂点とする略三角柱形状としてもよいし、図５の本発明の第１の実施の形態におけるホルダーの一部拡大斜視図に示すように、物体と接する側を円弧とする略半円柱形状としてもよい。
【産業上の利用可能性】
【００３９】
以上のように、本発明にかかるホルダーは、物体の着脱時のストロークは短くて着脱方向の自由度が高く、着脱における操作性の高いホルダーを安価に提供することができ、誰にでも使い易いユニバーサルデザインを実現できるので、リモコン等のホルダーの用途にも適用できる。
【図面の簡単な説明】
【００４０】
【図１】本発明の実施の形態１における物体を壁面に懸架するホルダーと壁面に懸架する物体の斜視図
【図２】（ａ）本発明の実施の形態１における物体を壁面に懸架するホルダーの側断面図（ｂ）本発明の実施の形態１におけるホルダーの物体を壁面に懸架する際の側断面図（ｃ）本発明の実施の形態１における一部透視正面図
【図３】本発明の実施の形態１におけるホルダーと壁面に懸架する物体の一部拡大斜視図
【図４】本発明の実施の形態１におけるホルダーの一部拡大斜視図
【図５】本発明の実施の形態１におけるホルダーの一部拡大斜視図
【図６】（ａ）従来の物体を壁面に懸架するホルダーの側断面図（ｂ）同ホルダーの一部透視正面図（ｃ）同ホルダーの一部透視斜視図
【図７】従来のホルダーの物体を壁面に懸架する際の側断面図
【図８】従来のホルダーの物体を壁面に懸架する際の一部透視正面図
【符号の説明】
【００４１】
１  ホルダー
２  突起部
３  物体
４  第１の凹部
５  凸部
６  下部架台
７  第２の凹部
８  台座
９  係止部
【図１】
2007244454.tif 000003
【図２】
2007244454.tif 000004
【図３】
2007244454.tif 000005
【図４】
2007244454.tif 000006
【図５】
2007244454.tif 000007
【図６】
2007244454.tif 000008
【図７】
2007244454.tif 000009
【図８】
2007244454.tif 000010